(57)【特許請求の範囲】
【請求項１】
チャージポンプ回路と、
このチャージポンプ回路の出力電圧が入力される電圧調整回路と、
所定の容量値（Ｃｓ）になるようにＤＣ成分を除去するためのコンデンサを少なくとも２つ以上並列に配置したコンデンサネットワークと所定の容量値（Ｃｖｄ）になるようにバリキャップダイオードを少なくとも２つ以上並列に配置したバリキャップダイオードネットワークとを備え、前記コンデンサと前記バリキャップダイオードの各々が互いに直列に接続される点に前記電圧調整回路の複数の出力電圧が各々入力されることにより所定の合成容量値｛Ｃｓ・Ｃｖｄ／（Ｃｓ＋Ｃｖｄ）｝となる合成容量ネットワーク部を有し、この合成容量値｛Ｃｓ・Ｃｖｄ／（Ｃｓ＋Ｃｖｄ）｝に基づいた所定の発振周波数を出力するＶＣＯ回路と、
このＶＣＯ回路から出力された発振周波数と参照周波数が入力される位相比較回路と、
この位相比較回路の出力が入力され、出力が前記電圧調整回路に入力されるロック検出回路とを備え、
前記位相比較回路の出力が所定値を超える場合は前記電圧調整回路の出力電圧により前記バリキャップダイオードの各々の制御電圧が可変され、前記位相比較回路の出力が所定値以下になる場合は前記ロック検出回路より前記電圧調整回路に前記ＶＣＯ回路の出力発振周波数がロックされたことを通知し、この通知に従って前記電圧調整回路を用いて少なくとも前記バリキャップダイオードの内の１つは制御電圧が可変できるようにし、かつ、残りの前記バリキャップダイオードはロック検出時の制御電圧に固定するように構成したＶＣＯ装置。
【請求項２】
電圧調整回路はボルテージフォロワ回路である請求項１に記載のＶＣＯ装置。
【請求項３】
電圧調整回路はＦＥＴとコンデンサにより構成する請求項１に記載のＶＣＯ装置。
【請求項４】
請求項１に記載のＶＣＯ装置を用いたチューナ。
【請求項５】
請求項１に記載のＶＣＯ装置を用いた通信システム。
【発明の詳細な説明】
【０００１】
【発明の属する技術分野】
本発明はＶＣＯ装置、このＶＣＯ装置を用いたチューナ及び通信システムに関するものである。
【０００２】
【従来の技術】
従来の広帯域なＶＣＯ装置の構成図を図４に示す。図４において、９０はチャージポンプ回路、１００はチャージポンプ回路９０が接続されたＶＣＯ回路、１１０はチャージポンプ回路９０から出力する電圧が印加されるＶＣＯ回路１００内のバリキャップダイオード（容量値Ｃｖｄ）、１２０はバリキャップダイオード１１０の制御電圧をＤＣカットするために直列接続したコンデンサ（容量値Ｃｓ）、１３０はインダクタ、１３５はＶＣＯ回路１００のバイアス抵抗、１４０は発振用トランジスタ、１５０はＶＣＯ回路１００からの出力端子である。上述のように広帯域なＶＣＯ装置は、チャージポンプ回路９０とＶＣＯ回路１００から構成されている。
【０００３】
次に、図４に示す広帯域なＶＣＯ装置の動作について、以下に説明する。チャージポンプ回路９０から所定の発振周波数に応じた制御電圧値Ｖｃｏｎｔが出力され、この制御電圧値Ｖｃｏｎｔがバリキャップダイオード１１０に印加されると、バリキャップダイオード１１０は制御電圧値Ｖｃｏｎｔに応じた容量値Ｃｖｄを示す。また、バリキャップダイオード１１０の容量値Ｃｖｄとコンデンサ１２０の容量値Ｃｓとで合成される合成容量値Ｃｔｏｔａｌは、（Ｃｓ・Ｃｖｄ）／（Ｃｓ＋Ｃｖｄ）となる。また、この合成容量値Ｃｔｏｔａｌとインダクタ１３０のインダクタンス値Ｌの条件に基づいて共振回路内で、
【０００４】
【数１】
0003885580.tif 000002
【０００５】
が生じる。このＬＣ共振で生じた信号が、バイアス抵抗１３５でバイアスされてトランジスタ１４０に入力され、トランジスタ１４０により正帰還で発振した出力発振周波数ｆｏｕｔが、ＶＣＯ回路１００の出力端子１５０から出力される。従って、この
【０００６】
【数２】
0003885580.tif 000003
【０００７】
の変化幅を大きくすることで、ＶＣＯ装置の広帯域化が図れる。この出力発振周波数ｆｏｕｔの変化幅を大きくするためには、合成容量値Ｃｔｏｔａｌの変化幅を大きくすればよい。また、この合成容量値Ｃｔｏｔａｌの変化幅を大きくするためにはバリキャップダイオード１１０に入力される制御電圧Ｖｃｏｎｔの変化幅に対するバリキャップダイオード１１０の容量値Ｃｖｄの変化幅とコンデンサ１２０の容量値Ｃｓを大きくすればよい。
【０００８】
【発明が解決しようとする課題】
しかしながら、図４に示すＶＣＯ装置を用いて出力端子１５０からの出力発振周波数ｆｏｕｔの広帯域化を図ろうとすると、どうしても制御電圧Ｖｃｏｎｔの変化幅に対する合成容量値Ｃｔｏｔａｌ（＝Ｃｓ・Ｃｖｄ）／（Ｃｓ＋Ｃｖｄ））の変化幅を大きくしなければならない。その動作を図５を用いて、比較のために狭帯域の発振をさせる場合とともに説明する。出力発振周波数が狭帯域（ｆｏｕｔ１からｆｏｕｔ２）の場合は、バリキャップダイオード１１０へ最大制御電圧値Ｖｃｏｎｔ ｍａｘを印加し、合成容量値がＣｔｏｔａｌ１の時、出力発振周波数がｆｏｕｔ１となり、最小制御電圧値Ｖｃｏｎｔ ｍｉｎを印加し、合成容量値がＣｔｏｔａｌの時、出力発振周波数がｆｏｕｔ２となり、出力発振周波数ｆｏｕｔ２に対する出力発振周波数ｆｏｕｔ１の変化比は以下の（数３）に示すようになる。
【０００９】
【数３】
0003885580.tif 000004
【００１０】
また、出力発振周波数が広帯域（ｆｏｕｔ３からｆｏｕｔ４）の場合は、バリキャップダイオード１１０へ最大制御電圧Ｖｃｏｎｔ ｍａｘを印加し、合成容量値がＣｔｏｔａｌ３の時、出力発振周波数がｆｏｕｔ３となり、最小制御電圧値Ｖｃｏｎｔ ｍｉｎを印加し、合成容量値がＣｔｏｔａｌ４の時、出力発振周波数ｆｏｕｔ４となり、出力発振周波数ｆｏｕｔ４に対する出力発振周波数ｆｏｕｔ３の変化比は以下の（数４）に示すようになる。
【００１１】
【数４】
0003885580.tif 000005
【００１２】
すなわち、出力発振周波数の帯域幅が狭くてもよい場合はバリキャップダイオード１１０の制御電圧Ｖｃｏｎｔの変化に対する合成容量値Ｃｔｏｔａｌの変化幅も小さくなるため、所定の出力発振周波数にロック後、電源電圧の変動や温度変化による前記出力発振周波数のずれが発生しても容易に安定、かつ、高精度に補正できる。従って、低雑音化の達成も容易である。しかし、出力発振周波数の帯域幅を広くしなければならない場合は、バリキャップダイオード１１０の制御電圧Ｖｃｏｎｔの変化に対する合成容量値Ｃｔｏｔａｌの変化幅もどうしても大きくしなければならない。従って、所定の出力発振周波数にロック後、電源電圧の変動や温度変化等による前記出力発振周波数のずれが発生した時、バリキャップダイオード１１０の制御電圧Ｖｃｏｎｔを用いて容易に安定、かつ、高精度に前記出力発振周波数のずれを補正することが困難であり、結果としてＶＣＯ装置の位相雑音が大きくなるという課題を有していた。
【００１３】
本発明は上記課題を解決するためのものであり、出力発振周波数の広帯域化と低雑音化の両方を達成するＶＣＯ装置、このＶＣＯ装置を用いたチューナ及び通信システムを提供することを目的とする。
【００１４】
【課題を解決するための手段】
この課題を解決するために本発明のＶＣＯ装置は、チャージポンプ回路と、このチャージポンプ回路の出力電圧が入力される電圧調整回路と、所定の容量値（Ｃｓ）になるようにＤＣ成分を除去するためのコンデンサを少なくとも２つ以上並列に配置しコンデンサネットワークと所定の容量値（Ｃｖｄ）になるようにバリキャップダイオードを少なくとも２つ以上並列に配置しバリキャップダイオードネットワークの前記コンデンサとバリキャップダイオードの各々が互いに直列に接続される点に前記電圧調整回路の複数の出力電圧が各々入力され、所定の合成容量値｛Ｃｓ・Ｃｖｄ／（Ｃｓ＋Ｃｖｄ）｝となる合成容量ネットワーク部を有したＶＣＯ回路と、この合成容量値｛Ｃｓ・Ｃｖｄ／（Ｃｓ＋Ｃｖｄ）｝に基づき共振回路によって規定された所定の出力発振周波数と参照周波数が入力される位相比較回路と、この位相比較回路の出力が入力され、出力が前記電圧調整回路に入力されるロック検出回路とを備え、前記位相比較回路の出力が所定値を超える場合は前記電圧調整回路の出力電圧により前記バリキャップダイオードの各々の制御電圧が可変され、前記位相比較回路の出力が所定値以下になる場合は前記ロック検出回路より前記電圧調整回路に前記ＶＣＯ回路の出力発振周波数がロックされたことを通知し、この通知に従って前記電圧調整回路を用いて少なくとも前記バリキャップダイオードの内の１つは制御電圧が可変できるようにし、かつ、残りの前記バリキャップダイオードはロック検出時の制御電圧に固定するように構成されている。
【００１５】
この構成により、出力発振周波数の広帯域化と低雑音化の両方を達成したＶＣＯ装置が実現できる。
【００１６】
【発明の実施の形態】
本発明の請求項１に記載の発明は、チャージポンプ回路と、このチャージポンプ回路の出力電圧が入力される電圧調整回路と、所定の容量値（Ｃｓ）になるようにＤＣ成分を除去するためのコンデンサを少なくとも２つ以上並列に配置しコンデンサネットワークと所定の容量値（Ｃｖｄ）になるようにバリキャップダイオードを少なくとも２つ以上並列に配置しバリキャップダイオードネットワークの前記コンデンサとバリキャップダイオードの各々が互いに直列に接続される点に前記電圧調整回路の複数の出力電圧が各々入力され、所定の合成容量値｛Ｃｓ・Ｃｖｄ／（Ｃｓ＋Ｃｖｄ）｝となる合成容量ネットワーク部を有したＶＣＯ回路と、この合成容量値｛Ｃｓ・Ｃｖｄ／（Ｃｓ＋Ｃｖｄ）｝に基づき共振回路によって規定された所定の出力発振周波数と参照周波数が入力される位相比較回路と、この位相比較回路の出力が入力され、出力が前記電圧調整回路に入力されるロック検出回路とを備え、前記位相比較回路の出力が所定値を超える場合は前記電圧調整回路の出力電圧により前記バリキャップダイオードの各々の制御電圧が可変され、前記位相比較回路の出力が所定値以下になる場合は前記ロック検出回路より前記電圧調整回路に前記ＶＣＯ回路の出力発振周波数がロックされたことを通知し、この通知に従って前記電圧調整回路を用いて少なくとも前記バリキャップダイオードの内の１つは制御電圧が可変できるようにし、かつ、残りの前記バリキャップダイオードはロック検出時の制御電圧に固定するように構成されているため、出力発振周波数の広帯域化と低雑音化（バリキャップダイオードの制御電圧の変化に対する合成容量値Ｃｓ・Ｃｖｄ／（Ｃｓ＋Ｃｖｄ）の変化を安定かつ高精度に調整できるため、所定の出力発振周波数にロック後、電源電圧の変動や温度変化による前記周波数のずれが発生しても容易に補正できる。）の両方を図ることができるという作用を有する。
【００１７】
請求項２に記載の発明は、請求項１に記載の発明において、電圧調整回路がボルテージフォロワ回路であるため、チャージポンプ回路の出力電圧に依存せずにバリキャップダイオードの制御電圧を固定するように動作させることができるという作用を有する。
【００１８】
請求項３に記載の発明は、請求項１に記載の発明において、電圧調整回路がＦＥＴとコンデンサにより構成されているため、チャージポンプ回路の出力電圧を遮断し、バリキャップダイオードの制御電圧をコンデンサで固定するように動作させることができるという作用を有する。
【００１９】
請求項４に記載の発明は、請求項１に記載のＶＣＯ装置をチューナに用いているため、広帯域な放送周波数の範囲を受信できるとともに、所定の放送周波数をロック後に発生する電源電圧の変動や温度変化による所定の放送周波数からのずれを安定、かつ、高精度に補正（すなわち低雑音化）することが可能となり、良好な映像と音声を再生できるという作用を有する。
【００２０】
請求項５に記載の発明は、請求項１に記載のＶＣＯ装置を通信システムに用いているため、異なる周波数帯域を有する通信規格に対応できるとともに、所定の周波数をロック後に発生する電源電圧の変動や温度変化による所定の周波数からのずれを安定、かつ、高精度に補正（すなわち低雑音化）することが可能となり、良好な映像、音声の再生とデータの送受信ができるという作用を有する。
【００２１】
以下、本発明の実施の形態について、図１から図３を用いて説明する。図１は本発明のＶＣＯ装置を説明するための回路ブロック図、図２は同装置において出力発振周波数がロックする前の制御電圧に対する合成容量値の関係を説明するための図、図３は同装置において出力発振周波数がロックした時の制御電圧に対する合成容量値の関係を説明するための図である。
【００２２】
図１において、１０はチャージポンプ回路、２０はチャージポンプ回路１０の出力電圧が入力される電圧調整回路としてのボルテージフォロワ回路、３０，３１，３２は容量値が所定のＣｓになるように並列に配置されたＤＣ成分を除去するためのコンデンサ、４０，４１，４２は容量値が所定のＣｖｄになるように並列に配置されたバリキャップダイオード、５０はコンデンサ３０，３１，３２の各一端と接続されたインダクタ、６０はバイアス抵抗、６５は発振用トランジスタ、７０はＶＣＯ回路、７５はＶＣＯ回路７０からの出力端子、８０は出力端子７５の出力発振周波数ｆｏｕｔと参照周波数が入力される位相比較回路、８５は位相比較回路８０の出力が入力され、その出力がボルテージフォロワ回路２０に入力されるロック検出回路である。
【００２３】
また、コンデンサ３０〜３２によりコンデンサネットワークが構成され、バリキャップダイオード４０〜４２によりバリキャップダイオードネットワークが構成されている。また、コンデンサネットワークを構成するコンデンサ３０〜３２とバリキャップダイオードネットワークを構成するバリキャップダイオード４０〜４２が、各々直列に接続され、合成容量値がＣｓ・Ｃｖｄ／（Ｃｓ＋Ｃｖｄ）になるように合成容量ネットワーク部８６が構成されている。
【００２４】
また、コンデンサ３０とバリキャップダイオード４０の接続点ａ、コンデンサ３１とバリキャップダイオード４１の接続点ｂ及びコンデンサ３２とバリキャップダイオード４２の接続点ｃには、それぞれボルテージフォロワ回路２０の出力電圧が入力されるように接続されている。
【００２５】
また、ＶＣＯ装置は、チャージポンプ回路１０、ボルテージフォロワ回路２０、ＶＣＯ回路７０、位相比較回路８０とロック検出回路８５により構成されている。
【００２６】
次に、ＶＣＯ回路７０の出力端子７５から出力される広帯域な出力発振周波数ｆｏｕｔの動作について、図１、図２を用いて以下に説明する。図２において、横軸は制御電圧Ｖｃｏｎｔ、縦軸は合成容量ネットワーク部８６の合成容量値Ｃｔｏｔａｌである。
【００２７】
例えば、コンデンサ３０，３１，３２の容量、バリキャップダイオード４０，４１，４２の容量、バリキャップダイオード４０，４１，４２の制御電圧Ｖｃｏｎｔ、インダクタ５０の仕様が（表１）に示すような場合、コンデンサ３０，３１，３２が並列に配置されたコンデンサネットワークの容量値Ｃｓは１０ｐＦになる。
【００２８】
【表１】
0003885580.tif 000006
【００２９】
また、コンデンサ３０，３１，３２とバリキャップダイオード４０，４１，４２の接続点ａ，ｂ，ｃにボルテージフォロワ回路２０より制御電圧Ｖｃｏｎｔ ｍａｘ＝３Ｖがそれぞれ入力された場合、バリキャップダイオード４０，４１，４２が並列に配置されたバリキャップダイオードネットワークの容量値Ｃｖｄは９ｐＦになる。従って、合成容量ネットワーク部８６の合成容量値Ｃｔｏｔａｌ１＝Ｃｓ・Ｃｖｄ／（Ｃｓ＋Ｃｖｄ）＝４．７ｐＦになる。この合成容量値Ｃｔｏｔａｌ１＝４．７ｐＦの合成容量ネットワーク部８６とインダクタンス値Ｌ＝５ｎＨのインダクタ５０の共振により出力端子７５から出力発振周波数ｆｏｕｔ１≒１．０３ＧＨｚが得られる。
【００３０】
また、接続点ａ，ｂ，ｃにボルテージフォロワ回路２０より制御電圧Ｖｃｏｎｔ ｍｉｎ＝１Ｖがそれぞれ入力された場合、バリキャップダイオード４０，４１，４２が並列に配置されたバリキャップダイオードネットワークの容量値Ｃｖｄは１．５ｐＦとなり、合成容量ネットワーク部８６の合成容量値Ｃｔｏｔａｌ２＝１．３ｐＦになる。従って、この合成容量値Ｃｔｏｔａｌ２＝１．３ｐＦの合成容量ネットワーク部８６とインダクタンス値Ｌ＝５ｎＨのインダクタンス５０の共振により出力端子７５から出力発振周波数ｆｏｕｔ２≒１．９７ＧＨｚが得られる。
【００３１】
以上のような構成にすることにより、バリキャップダイオード４０，４１，４２の制御電圧Ｖｃｏｎｔを３Ｖ（ｍａｘ．）から１Ｖ（ｍｉｎ．）まで可変する（変化幅△Ｖｃｏｎｔ）と、出力発振周波数がｆｏｕｔ１≒１．０３ＧＨｚ〜ｆｏｕｔ２≒１．９７ＧＨｚのような広帯域化が実現できる。
【００３２】
このように、出力端子７５からの出力発振周波数ｆｏｕｔがロックされるまで（すなわち、位相比較回路８０に参照周波数と出力発振周波数ｆｏｕｔが入力され、位相比較回路８０からの出力が所定値を超える場合）は、バリキャップダイオード４０，４１，４２の制御電圧を可変することで出力発振周波数ｆｏｕｔの広帯域化を図ることができる。
【００３３】
次に、出力端子７５からの出力発振周波数ｆｏｕｔがロックされる場合（すなわち、位相比較回路８０からの出力が所定値以下になる場合）について、その出力発振周波数ｆｏｕｔの動作について、図１、図３を用いて以下に説明する。図３において、横軸、縦軸は図２と同様に、それぞれ制御電圧Ｖｃｏｎｔ、合成容量ネットワーク部８６の合成容量値Ｃｔｏｔａｌであり、図２に示すデータとともに重ねて示している。
【００３４】
例えば、出力発振周波数ｆｏｕｔが１．５ＧＨｚでロックされる（図３において、Ｖｃｏｎｔが○印を付与した値になった時）と、位相比較回路８０からの出力は所定値以下となり、この位相比較回路８０からの出力がロック検出回路８５に入力される。
【００３５】
次に、ロック検出回路８５からボルテージフォロワ回路２０に出力端子７５の出力発振周波数ｆｏｕｔがロックされたことを通知し、この通知に従って接続点ｂ，ｃにボルテージフォロワ回路２０から印加されるバリキャップダイオード４１，４２の制御電圧Ｖｃｏｎｔが出力発振周波数ｆｏｕｔのロック時の値Ｖｃｏｎｔ≒２Ｖに固定され、接続点ａにボルテージフォロワ回路２０から印加されるバリキャップダイオード４０の制御電圧Ｖｃｏｎｔは３Ｖ（ｍａｘ．）から１Ｖ（ｍｉｎ．）まで可変（変化幅△Ｖｃｏｎｔ）できるように構成されている。
【００３６】
例えば、接続点ａに印加される制御電圧Ｖｃｏｎｔ ｍａｘ＝３Ｖが入力される場合は、バリキャップダイオード４０，４１，４２が並列に配置されたバリキャップダイオードネットワークの容量値Ｃｖｄは５ｐＦとなり、合成容量ネットワーク部８６の合成容量値Ｃｔｏｔａｌ３＝３．３ｐＦになる。従って、この合成容量値Ｃｔｏｔａｌ３＝３．３ｐＦの合成容量ネットワーク部８６とインダクタンス値Ｌ＝５ｎＨのインダクタンス５０の共振により出力端子７５からの出力発振周波数ｆｏｕｔ３≒１．２４ＧＨｚが得られる。また、接続点ａに印加される制御電圧Ｖｃｏｎｔ ｍｉｎ＝１Ｖが入力される場合は、バリキャップダイオード４０，４１，４２が並列に配置されたバリキャップダイオードネットワークの容量値Ｃｖｄは２．５ｐＦとなり、合成容量ネットワーク部８６の合成容量値Ｃｔｏｔａｌ４＝２．０ｐＦになる。従って、この合成容量値Ｃｔｏｔａｌ４＝２．０ｐＦの合成容量ネットワーク部８６とインダクタンス値Ｌ＝５ｎＨのインダクタンス５０の共振により出力端子７５からの出力発振周波数ｆｏｕｔ４≒１．５９ＧＨｚが得られる。
【００３７】
このように、出力発振周波数ｆｏｕｔが１．５ＧＨｚにロックされた後は、制御電圧Ｖｃｏｎｔの全変化幅（３Ｖ〜１Ｖ）に対して、バリキャップダイオード４０〜４２により構成されるバリキャップダイオードネットワークの容量値Ｃｖｄが５ｐＦ〜２．５ｐＦの範囲内でしか変化しない。
【００３８】
従って、合成容量ネットワーク部８６の合成容量値Ｃｔｏｔａｌも３．３ｐＦ（Ｃｔｏｔａｌ３）〜２．０ｐＦ（Ｃｔｏｔａｌ４）の範囲内でしか変化しないため、出力発振周波数ｆｏｕｔも１．２４ＧＨｚ（ｆｏｕｔ３）〜１．５９ＧＨｚ（ｆｏｕｔ４）の範囲内でのみ変化する。すなわち、制御電圧Ｖｃｏｎｔの変化幅に対して、出力発振周波数ｆｏｕｔの変化幅が小さくなるように構成されているため、所定の出力発振周波数ｆｏｕｔにロック後に、電源電圧の変動や温度変化等による前記出力発振周波数ｆｏｕｔのずれが発生した場合にも容易に安定、かつ、高精度に前記出力発振周波数ｆｏｕｔのずれを補正（低雑音化）することができる。
【００３９】
なお、本実施の形態においては、ＬＣ共振回路を用いる例についてのみ説明してきたが、ＣＲ構成の直列共振回路を用いることも可能である。
【００４０】
また、本実施の形態においては、電圧調整回路としてボルテージフォロワ回路を用いる例についてのみ説明してきたが、ＦＥＴとコンデンサから構成される回路を用いることも可能であり、この構成によるとチャージポンプ回路の出力電圧を遮断し、バリキャップダイオードの制御電圧をコンデンサで固定するように動作させることも可能である。
【００４１】
また、本実施の形態においては、不平衡な発振回路を用いた例について説明したが、差動回路を用いた平衡な発振回路を用いることも当然可能である。
【００４２】
また、本実施の形態において説明したＶＣＯ装置をチューナに用いれば、広帯域な放送周波数の範囲を受信できるとともに、所定の放送周波数にロックした後に発生する電源電圧の変動や温度変化による所定放送周波数からのずれを安定、かつ、高精度に補正（低雑音化）することが可能となり、良好な映像と音を再生できる。
【００４３】
また、本実施の形態において説明したＶＣＯ装置を通信システムに用いれば異なる周波数帯域を有する通信規格に対応できるとともに、所定の周波数をロック後に発生する電源電圧の変動や温度変化による所定の周波数からのずれを安定、かつ、高精度に補正（すなわち低雑音化）することが可能となり、良好な映像、音声の再生とデータの送受信ができる。
【００４４】
【発明の効果】
以上のように本発明は、チャージポンプ回路と、このチャージポンプ回路の出力電圧が入力される電圧調整回路と、所定の容量値（Ｃｓ）になるようにＤＣ成分を除去するためのコンデンサを少なくとも２つ以上並列に配置しコンデンサネットワークと所定の容量値（Ｃｖｄ）になるようにバリキャップダイオードを少なくとも２つ以上並列に配置しバリキャップダイオードネットワークの前記コンデンサとバリキャップダイオードの各々が互いに直列に接続される点に前記電圧調整回路の複数の出力電圧が各々入力され、所定の合成容量値｛Ｃｓ・Ｃｖｄ／（Ｃｓ＋Ｃｖｄ）｝となる合成容量ネットワーク部を有したＶＣＯ回路と、この合成容量値｛Ｃｓ・Ｃｖｄ／（Ｃｓ＋Ｃｖｄ）｝に基づき共振回路によって規定された所定の出力発振周波数と参照周波数が入力される位相比較回路と、この位相比較回路の出力が入力され、出力が前記電圧調整回路に入力されるロック検出回路とを備え、前記位相比較回路の出力が所定値を超える場合は前記電圧調整回路の出力電圧により前記バリキャップダイオードの各々の制御電圧が可変され、前記位相比較回路の出力が所定値以下になる場合は前記ロック検出回路より前記電圧調整回路に前記ＶＣＯ回路の出力発振周波数がロックされたことを通知し、この通知に従って前記電圧調整回路を用いて少なくとも前記バリキャップダイオードの内の１つは制御電圧が可変できるようにし、かつ、残りの前記バリキャップダイオードはロック検出時の制御電圧に固定するように構成されているため、出力発振周波数の広帯域化と低雑音化の両方を達成したＶＣＯ装置を実現できる。
【００４５】
また、本発明のＶＣＯ装置をチューナに用いた構成であるため、広帯域な放送周波数の範囲を受信できるとともに、所定の放送周波数をロック後に発生する電源電圧の変動や温度変化による所定の放送周波数からのずれを安定、かつ、高精度に補正（すなわち低雑音化）することが可能となり、良好な映像と音声を再生できるチューナを提供できる。
【００４６】
また、本発明のＶＣＯ装置を通信システムに用いた構成であるため、異なる周波数帯域を有する通信規格に対応できるとともに、所定の周波数をロック後に発生する電源電圧の変動や温度変化による所定の周波数からのずれを安定、かつ、高精度に補正（すなわち低雑音化）することが可能となり、良好な映像、音声の再生とデータの送受信ができる通信システムを提供できる。
【図面の簡単な説明】
【図１】本発明のＶＣＯ装置の一実施の形態を説明するための回路ブロック図
【図２】同装置における出力発振周波数のロック前の制御電圧と合成容量値の関係を説明する図
【図３】同装置における出力発振周波数のロック後の制御電圧と合成容量値の関係を説明する図
【図４】従来のＶＣＯ装置を説明するための回路ブロック図
【図５】同装置における制御電圧と合成容量値の関係を説明する図
【符号の説明】
１０  チャージポンプ回路
２０  ボルテージフォロワ回路
３０，３１，３２  コンデンサ
４０，４１，４２  バリキャップダイオード
５０  インダクタ
６０  バイアス抵抗
６５  発振用トランジスタ
７０  ＶＣＯ回路
７５  出力端子
８０  位相比較回路
８５  ロック検出回路
【図１】
0003885580.tif 000007
【図２】
0003885580.tif 000008
【図３】
0003885580.tif 000009
【図４】
0003885580.tif 000010
【図５】
0003885580.tif 000011